(57)【特許請求の範囲】
【請求項１】
内部に貯蔵室が形成されている断熱箱体と、この断熱箱体の庫外側を覆う金属製面材と、断熱箱体の庫外側に設けられている金属パイプからなる把手とを備えた可搬式断熱貯蔵庫において、把手を熱収縮性の樹脂にて被覆し、且つ把手の両端を樹脂にて閉塞したことを特徴とする可搬式断熱貯蔵庫。
【発明の詳細な説明】
【０００１】
【発明の属する技術分野】
本発明は、移動するときに掴む把手を備えた可搬式断熱貯蔵庫に関する。
【０００２】
【従来の技術】
この種の従来の可搬式断熱貯蔵庫は例えば特公平８−６９９８号（Ｆ２５Ｄ１６／００）などに記載されている。そして、従来の可搬式断熱貯蔵庫は断熱箱体にて構成され、断熱箱体の庫外側は例えば塗装鋼板などの金属の面材にて被覆されていた。また、断熱箱体の適所には移動時に作業者が掴む把手が取付けられており、この把手は例えばステンレスなどの金属製パイプで形成されている。
【０００３】
【発明が解決しようとする課題】
しかしながら上記の従来の技術によれば、把手の表面は被覆されていなく金属表面がむき出しになっているため、冬季等の乾燥して静電気が発生しやすい時期には、作業者が把手を掴んだときに静電気が把手を介して作業者に流れ、不快感を与えるという問題があった。
【０００４】
したがって本発明は、作業者への静電気の影響を防止した可搬式断熱貯蔵庫を提供するものである。
【０００５】
【課題を解決するための手段】
本発明は上記課題を解決するために、本発明は、内部に貯蔵室が形成されている断熱箱体と、この断熱箱体の庫外側を覆う金属製面材と、断熱箱体の庫外側に設けられている金属パイプからなる把手とを備えた可搬式断熱貯蔵庫において、把手を熱収縮性の樹脂にて被覆し、且つ把手の両端を樹脂にて閉塞した可搬式断熱貯蔵庫を提供するものである。
【０００６】
【発明の実施の形態】
以下、本発明の可搬式断熱貯蔵庫の実施の形態を図１乃至図５に基づいて詳細に説明する。
【０００７】
図１は、本発明に係る可搬式断熱貯蔵庫の説明図で、（ａ）が正面図、（ｂ）は側面図である。図２は、把手の取付構造の組立てを説明する分解斜視図である。図３は把手の取付構造の説明図であり、（ａ）は裏面側から見た斜視図、（ｂ）が正面側から見た斜視図である。図４は把手の取付構造の説明図で、（ａ）が縦方向の断面図、（ｂ）が（ａ）の要部拡大断面図である。図５は把手の取付構造の説明図で、（ａ）が水平方向の断面図、（ｂ）が（ａ）の要部拡大断面図である。
【０００８】
可搬式断熱箱体である例えばコールドロールボックス１は、一面すなわち前面が開口した断熱箱体２にて形成され、内部に貯蔵室を有している。このコールドロールボックス１の前面開口は、左右一対の断熱扉である前面扉３で開閉自在に閉塞されている。そして、コールドロールボックス１の貯蔵室には蓄冷材（図示せず）が設けられ、この蓄冷材を冷却する冷却装置（図示せず）がコールドロールボックスに備えられている。また、コールドロールボックス１の下面四隅にはそれぞれ移動用のキャスター５が取付けられている。
【０００９】
コールドロールボックス１の本体である断熱箱体２は、内箱である庫内側の面材７と、外箱である庫外側の面材８と、面材７と面材８との間に注入発泡された断熱材９とから形成されている。そして、面材７及び面材８は、例えばステンレス板、塗装鋼板、或いはアルミ板などの金属板からなり、板金加工などで形成されている。また、断熱箱体２の左右両側面の両サイドには各々凹部１０が形成されており、各凹部１０には、把手ボックス１１１及び移動用の把手１１が設けられている。そして、例えば作業者が人力でコールドロールボックス１を移動するときには、この把手１１を手で握り、コールドロールボックス１を押したり引いたりして力を加えることにより、移動させることができる。
【００１０】
把手１１は例えばステンレス、鉄、或いはアルミ製の断面長円形の金属パイプ１２と、この金属パイプ１２を被覆する熱収縮性の例えばポリオレフィンなどの樹脂１３とによって構成されている。そして、金属パイプ１２の両端部には各々嵌合部としての孔１４が形成され、また、金属パイプ１２は樹脂１３によって両端間を被覆されるとともに、両端は樹脂１３の先つぼまりの両端部１５によって被覆されかつ閉塞されている。
【００１１】
把手１１において、金属パイプ１２を樹脂１３にて被覆するときには、金属パイプ１２より寸法が大きい、すなわち、金属パイ１２の外径より内径が僅かに大きく、長いチューブである樹脂１３に金属パイプ１２を通す。そして、樹脂１３を例えば加熱炉内で加熱することによって、樹脂１３が収縮し、金属パイプ１２の表面に密着するとともに、金属パイプ１２の両端より突出した樹脂１３の両端部１５が収縮してつぼまり、金属パイプ１２は、表面が樹脂１３によって被覆されるとともに、両端も被覆され、且つ閉塞される。
【００１２】
以下、把手１１の取付構造について説明する。庫外側の面材８には、ほぼ矩形の把手用の開口２１が形成され、この開口２１の周縁部からほぼ直角に内側へ絞り加工にて折り曲げられてフランジ２２が形成されている。そして、互いに対向したフランジ２２ａ及びフランジ２２ｂには、中央の奥行きが両端部の奥行きより長く形成されているとともに、奥行きの長い部分に把手挿入用の開口２３が形成されている。
【００１３】
また、把手ボックス１１１は、一面が開口している箱体であり、例えば弾性を有した樹脂で一体に形成されており、内部空間が断熱箱体２の凹部１０となる。この把手ボックス１１１の互いに対向した壁である上壁２８及び下壁２９には、各々把手挿入用の開口３１が形成されており、把手ボックス１１１が庫外側の面材８に取付けられている状態では、この把手ボックス１１１の開口３１は庫外側の面材８の開口２３に重なっている。また、把手ボックス１１１の開口面側の周縁から外側にフランジ２６が形成されており、上側フランジ２６ａと下側フランジ２６ｂの裏側には、各々係止部である係止突起３３が形成されている。さらに、把手ボックス１１１の開口面側の端部には、庫外側の面材８のフランジ２２が嵌まり込む溝３４が形成されている。
【００１４】
このように形成されている庫外側の面材８、把手ボックス１１１、及び把手１１を組み立てるときには、始めに、把手ボックス１１１の開口面を、庫外側の面材８の裏面側すなわち内側から開口２１に対向させて、庫外側の面材８のフランジ２２を把手ボックス１８の溝３４に嵌めるとともに、把手ボックス１８のフランジ２６の前面を庫外側の面材８に当接させる。すると、把手ボックス１１１の開口３１と庫外側の面材８の開口２３との位置が合う。
【００１５】
そして、図２及び図４に示したように、把手１１を把手ボックス１１１の開口３１及び庫外側の面材８の開口２３に通す。このようにすることにより、把手１１の中央部が把手ボックス１１１の内部に位置し、把手１１の両端部が把手ボックス１１１及び庫外側の面材８のフランジ２２を貫通して把手ボックス１１１の外側に位置している状態にする。このように把手１１を開口３１及び開口２３に通すときに、把手１１が把手ボックス１１１の係止突起３３に接触すると、樹脂１３が係止突起３３によって押されて窪むとともに、係止突起３３自体も弾性変形して押しつぶされる。そして、把手１１は樹脂１３がつぶされるとともに係止突起３３を押しつぶしている状態で上下にスライドさせることができる。
【００１６】
把手１１のスライドによって把手１１の上下それぞれの孔３６に位置を、把手ボックス１１１の上下それぞれの係止突起３３の位置に合わせると、係止突起３３がほぼ元の位置に復帰し、把手１１の孔１４に嵌まり把手１１を係止する。このようにして、把手ボックス１１１及び把手１１が庫外側の面材８に取付けられた後、面材８と庫内側の面材７とを間隔を存して対向させて断熱材９を注入発泡させることにより、断熱箱体２が形成される。
【００１７】
以上のように断熱箱体２を形成することにより、庫外側の面材８の開口２３と把手ボックス１１１の開口３１とに把手１１を通すだけで庫外側の面材８に把手ボックス１１１を容易に取付けることができる。また、把手１１は、把手ボックス１１１の係止突起３３に孔３６が係止されることにより把手ボックス１１１に固定されるので、把手１１をスライドさせて孔１４に係止突起３３を嵌めるだけで把手１１を把手ボックス１１１に容易に取付けることができる。また、孔１４の周縁において、把手１１の金属パイプ１２と把手ボックス１１１の係止突起３３との間には、樹脂１３が挟まれているので、把手１１のがたつきを防止することができる。
【００１８】
また、上記のように形成されたコールドロールボックス１では、冬季などに静電気が断熱箱体２の庫外側の面材８に発生し、この静電気は面材８から断熱材９へも伝わる。しかしながら、把手１１は樹脂１３によって被覆されているので、コールドロールボックス１を移動させるために、作業者が把手１１を掴んだときに、静電気が作業者に伝わることを樹脂１３によって防止することができ、この結果、作業者は不愉快な思いを感じることなく作業を行うことができる。また、金属パイプ１２が樹脂１３にて被覆されているとともに両端が樹脂１３にて閉塞されているので、断熱材９と金属パイプ１２との接触を回避し、静電気が断熱材９から金属パイプ１２に伝わることも防止でき、把手１１を掴んだ作業者への静電気の伝達を一層確実に防止することができる。
【００１９】
更に、把手１１の金属パイプ１２を被覆するために熱収縮性の樹脂を使用しているので、金属パイプ１２を樹脂１３に通した後に熱を加えるだけで、容易に樹脂１３を金属パイプ１２に密着させて樹脂１３にて金属パイプ１２を被覆することができ、また、把手１１を庫外側の面材８の開口２３と把手ボックス１１１の開口３１とに通すときの樹脂１３のずれを回避することもできとともに、コールドロールボックス１を移動させるときに、作業者が把手１１を強く握り把手１１に強い力が加わった場合にも樹脂１３のずれを防止して、作業者は移動作業をスムーズに行うことができる。
【００２０】
なお、本発明は、上記実施の形態に限定されるものではなく、特許請求の範囲に記載された本発明の要旨の範囲内で、適宜変更を行うことが可能である。
【００２１】
例えば、把手１１において、樹脂１３の両端にて金属パイプ１２の両端を閉塞しなかった場合にも、もちろん作業者への静電気の影響を防止することができる。
【００２２】
また、樹脂１３に銀ゼオライトなどの抗菌材を含ませ、樹脂１３に抗菌作用を持たせた場合には、衛生面上の効果を得ることができる。
【００２３】
【発明の効果】
本発明によれば、内部に貯蔵室が形成されて庫外側が金属製面材にて覆われた断熱箱体の庫外側に設けられている金属パイプからなる把手を熱収縮性の樹脂にて被覆し、且つ把手の両端を樹脂にて閉塞したので、内部に貯蔵室が形成されて断熱箱体の庫外側が金属製面材にて覆われ、静電気が発生し易い断熱箱体の庫外側に設けられている金属製の把手を樹脂にて被覆したので、可搬式断熱貯蔵庫を移動させるために、作業者が把手を掴んだときに、静電気が作業者に伝わることを樹脂によって防止することができ、この結果、作業者は不愉快な思いを感じることなく作業を行うことができる。
【００２８】
また、金属パイプが樹脂にて被覆されているとともに両端が樹脂にて閉塞されているので、断熱材と金属パイプとの接触を回避して断熱材から金属パイプに静電気が伝わることも防止でき、把手を掴んだ作業者への静電気の伝達を一層確実に防止することができる。
【図面の簡単な説明】
【図１】  本発明に係る可搬式断熱貯蔵庫の説明図で、（ａ）が正面図、（ｂ）は側面図である。
【図２】  把手の取付構造の組立てを説明する分解斜視図である。
【図３】  把手の取付構造の説明図であり、（ａ）は裏面側から見た斜視図、（ｂ）が正面側から見た斜視図である。
【図４】  把手の取付構造の説明図で、（ａ）が縦方向の断面図、（ｂ）が（ａ）の要部拡大断面図である。
【図５】  把手の取付構造の説明図で、（ａ）が水平方向の断面図、（ｂ）が（ａ）の要部拡大断面図である。
【符号の説明】
１        コールドロールボックス（可搬式断熱貯蔵庫）
２        断熱箱体
８        庫外側の面材
９        断熱材
１１      把手
１１Ａ    把手
１２      金属パイプ
１３      樹脂
１５      両端部
【図１】
0003877406.tif 000002
【図２】
0003877406.tif 000003
【図３】
0003877406.tif 000004
【図４】
0003877406.tif 000005
【図５】
0003877406.tif 000006